(57)【要約】【課題】  例えば、小型、軽量または低コストの点で有利な光学装置を提供する。【解決手段】  光学装置は、情報を表示する表示部と、前記表示部を制御する制御部とを有し、前記制御部は、予め定められた操作が前記光学装置に対して行われた場合、前記表示部の表示内容を変更する場合、前記表示部の表示内容を変更していないのに前記表示部の消費電力の変化が許容量を超えた場合のうち少なくとも１つの場合に、前記表示部の初期化を行う、ことを特徴とする。【選択図】  図３
2020091414.tif 000002
【特許請求の範囲】
【請求項１】
情報を表示する表示部と、前記表示部を制御する制御部とを有する光学装置であって、
前記制御部は、予め定められた操作が前記光学装置に対して行われた場合、前記表示部の表示内容を変更する場合、前記表示部の表示内容を変更していないのに前記表示部の消費電力の変化が許容量を超えた場合のうち少なくとも１つの場合に、前記表示部の初期化を行う、
ことを特徴とする光学装置。
【請求項２】
光学部材と、前記光学部材を動かす駆動部と、前記駆動部に対する指令を生成するための操作部材とを有し、
前記予め定められた操作は、前記操作部材に対する操作を含む、
ことを特徴とする請求項１に記載の光学装置。
【請求項３】
前記表示部に供給される電圧および電流のうち少なくとも一方を検出する検出部を有し、
前記制御部は、前記検出部の出力に基づいて前記消費電力の変化を得る、
ことを特徴とする請求項１に記載の光学装置。
【請求項４】
前記制御部は、予め定められた期間における前記検出部の出力の平均値に基づいて前記消費電力の変化を得ることを特徴とする請求項３に記載の光学装置。
【請求項５】
前記制御部は、前記検出部の出力の変化の幅に基づいて前記消費電力の変化を得ることを特徴とする請求項３に記載の光学装置。
【請求項６】
前記表示部に供給される電圧を検出する検出部を有し、
前記制御部は、前記検出部の出力に基づいて前記表示部の初期化を行う、
ことを特徴とする請求項１に記載の光学装置。
【請求項７】
前記表示部に供給される電流を検出する検出部を有し、
前記制御部は、前記検出部の出力に基づいて前記表示部の初期化を行う、
ことを特徴とする請求項１に記載の光学装置。
【請求項８】
物体の像を形成することを特徴とする請求項１ないし請求項７のうちいずれか１項に記載の光学装置。
【請求項９】
前記像が形成される面に配された撮像素子を有することを特徴とする請求項８に記載の光学装置。
【請求項１０】
光学部材を動かす駆動部に対する指令を生成するための操作部材を有することを特徴とする請求項１ないし請求項７のうちいずれか１項に記載の光学装置。
【発明の詳細な説明】
【技術分野】
【０００１】
本発明は、光学装置に関する。
【背景技術】
【０００２】
光学装置は、種々の機能の設定や種々の情報の提示等のために表示部（ディスプレイ）を備えているものがある。当該表示部は、静電気や電波などの外乱により、意図しない表示画面の乱れ（表示乱れ）が発生しうる。機械的な構造の付加により当該外乱の影響を低減するものもあるが、当該付加は、当該装置の小型、軽量または低コストの点で不利となりうる。特許文献１は、取付ユニットに接続する接続端子のグランド接点と基準点との間の電圧から静電気の発生を検知して、取付ユニットにリセット信号を送信することにより、静電気による不具合を解消する撮像装置を提案している。
【先行技術文献】
【特許文献】
【０００３】
【特許文献１】特開２０１５−６００４０号公報
【発明の概要】
【発明が解決しようとする課題】
【０００４】
特許文献１のように静電気を検知する検知部を付加するのは、当該装置の小型、軽量または低コストの点で不利となりうる。
【０００５】
本発明は、例えば、小型、軽量または低コストの点で有利な光学装置を提供することを目的とする。
【課題を解決するための手段】
【０００６】
上記目的を達成するために、本発明の光学装置は、情報を表示する表示部と、前記表示部を制御する制御部とを有する光学装置であって、前記制御部は、予め定められた操作が前記光学装置に対して行われた場合、前記表示部の表示内容を変更する場合、前記表示部の表示内容を変更していないのに前記表示部の消費電力の変化が許容量を超えた場合のうち少なくとも１つの場合に、前記表示部の初期化を行う、ことを特徴とする。
【発明の効果】
【０００７】
本発明によれば、例えば、小型、軽量または低コストの点で有利な光学装置を提供することができる。
【図面の簡単な説明】
【０００８】
【図１】実施例１における撮影装置の構成例を示す図
【図２】実施例１における表示画面を例示する図
【図３】実施例１における表示処理の流れを例示する図
【図４】実施例２における撮影装置の構成例を示す図
【図５】実施例２における表示の初期化処理の流れを例示する図
【図６】実施例３における撮影装置の構成例を示す図
【図７】実施例３における表示の初期化処理の流れを例示する図
【発明を実施するための形態】
【０００９】
以下に、本発明の好ましい実施の形態を、添付の図面に基づいて詳細に説明する。
【実施例１】
【００１０】
図１は実施例１の撮影装置の構成例を示す図である。１０は表示手段を備えた撮影装置（光学装置）１０である。撮影装置１０には、可動光学部材であるズームレンズ１０１を含むレンズ装置と、レンズ駆動部１０２が構成され、レンズ駆動部１０２を介してズームレンズ１０１を駆動することにより、ズーム機能を実現する。撮像素子１０３は、ズームレンズ１０１を含むレンズ群を含む光学系の像面に配置され、光学系によって形成された物体の像を受けて光電変換して撮像信号を生成し制御部１０４へ送信する。制御部１０４では、撮像信号から映像信号を生成する。駆動操作部（操作部材）１０５は、ユーザがズームを変更する際に操作する操作手段であり、制御部１０４は、駆動操作部１０５の操作に応じた駆動信号を生成し、レンズ駆動部１０２に出力する。
【００１１】
また、制御部１０４は、撮影装置１０の各種機能の設定やレンズ情報をユーザへ通知するためのメニュー画面などの表示画面を生成し、表示駆動部１０６を介して、情報表示部１０７に表示する。例えば、情報表示部１０７は、有機ＥＬディスプレイなどであり、表示駆動部１０６は、ディスプレイの発光ダイオードを駆動するための駆動回路と駆動を制御する制御回路などである。表示電源部１０８は表示駆動部１０６へ電源を供給し、情報表示部１０７は、表示電源部１０８の電源により表示を点灯する。
【００１２】
表示操作部１０９は、情報表示部１０７の表示のＯＮ・ＯＦＦや、メニュー画面の変更、各種機能の設定変更などの操作をユーザから受け付ける操作手段であり、十字キーや決定キーなどにより構成される。
【００１３】
本実施例では、情報表示部１０７に表示している表示画面が、静電気などの外乱により、意図しない表示乱れを起こした場合、ユーザに違和感を与えないタイミングで、表示乱れを回復させる例について説明する。
【００１４】
図２は、実施例１における表示画面を例示する図である。
図２（Ａ）は、撮影装置１０のＦｕｎｃ１という機能とＦｕｎｃ２という機能の設定を変更するための、機能設定画面である。ユーザは、機能設定画面を表示させ、表示操作部１０９を操作し、Ｆｕｎｃ１やＦｕｎｃ２の機能のＯＮ・ＯＦＦを設定する。
【００１５】
図２（Ｂ）は、ズームレンズ１０１の位置をユーザに通知するための、レンズ情報画面である。ズームレンズ１０１の可動領域の全域を横長のスケールで表し、黒色で示した領域と白色で示した領域の境界線を現在のズームレンズ１０１の位置として表示している。ユーザは、このスケールを確認することで、おおよその現在のズーム位置（画角）を把握することができる。また、図２（Ａ）と図２（Ｂ）は、ユーザにより任意に切り替えることができる。
【００１６】
図２（Ｃ）は、静電気などの外乱を受けて情報表示部１０７の表示画面に表示乱れが発生した場合の例を示した表示乱れ画面である。表示駆動部１０６または情報表示部１０７は、静電気などの外乱を受けることにより、画面の点灯機能が誤動作を起こし、図２（Ｃ）のようなランダムなドットの表示となる場合がある。このような表示乱れ画面が発生すると、ユーザは、機能の設定やレンズ情報の把握を行うことができなくなる。
【００１７】
図２（Ｃ）のような表示乱れが発生した場合、通常の画面を再度表示させるには、表示駆動部１０６の初期化を行う必要がある。当該初期化とは、表示アドレスの設定や、表示駆動部１０６で保持されるメモリデータの設定などを初期状態に設定し直す処理のことを指す。初期化を行うと、初期状態となるため、情報表示部１０７は、何も表示されていない消灯画面となる。
【００１８】
静電気などの外乱により表示乱れが発生した場合、外乱の発生を検出する手段をもたない場合、この表示乱れを自動で回復させることは難しい。例えば、定期的に初期化処理を実行することで表示乱れに対応することが考えられるが、初期化の際に消灯画面となるため、ユーザが情報表示部１０７の表示を確認している際に初期化を実行してしまうと、視認性が悪化し、ユーザに違和感を与えるおそれがある。
【００１９】
本実施例では、ユーザに違和感を与えることなく、初期化を実行する例について説明する。
図３は、実施例１における表示処理の流れを例示した図である。
【００２０】
ステップＳ１０１では、ユーザにより情報表示部１０７の画面をＯＮする操作が検出されたか否かを判断する。画面ＯＮの操作が検出されるまで待ち、画面ＯＮの操作が検出された場合は、ステップＳ１０２に進む。
【００２１】
ステップＳ１０２では、表示駆動部１０６の初期化を行い、ステップＳ１０３に進む。
ステップＳ１０３では、情報表示部１０７に初期画面を表示する。例えば、ここでは図２（Ａ）で示した機能設定画面を初期画面とする。
【００２２】
ステップＳ１０４では、ユーザにより表示の変更操作が検出されたか否かを判断する。表示の変更操作が検出されるまでは、現在の状態を維持し、表示の変更操作が検出された場合は、ステップＳ１０５に進む。
【００２３】
ステップＳ１０５では、変更操作が画面のＯＦＦ操作か否かを判断する。ＯＦＦ操作である場合、ステップＳ１０６に進み、ＯＦＦ操作でない場合は、ステップＳ１０７に進む。
【００２４】
ステップＳ１０６では、初期化処理を実行し、情報表示部１０７を消灯させ、ステップＳ１０１に戻る。ステップＳ１０７では、変更操作後の変更画面が、現在の表示している現在画面に対して、変化が大きいか否かを判断する。例えば、現在画面が図２（Ａ）で示した機能設定画面である場合、ステップＳ１０４で検出した変更操作が、撮影装置１０の機能の設定を変更するような操作である場合、Ｆｕｎｃ１やＦｕｎｃ２の右横に表示されるＯＮやＯＦＦの表示が変わるのみである。よって、表示画面の変化は小さい。また、現在画面が図２（Ａ）で示した機能設定画面である場合に、変更画面が図２（Ｂ）で示したレンズ情報画面である場合、画面の表示内容が大きく変化すると判断する。このように表示のメニュー画面自体が変更となる場合に、表示内容の変化が大きいと判断する。表示画面の変化が大きいと判断した場合は、ステップＳ１０８に進み、小さいと判断した場合はステップＳ１０９に進む。
【００２５】
ステップＳ１０８では、ステップＳ１０２やステップＳ１０６と同様、表示駆動部１０６の初期化を行った後、ステップＳ１０９に進む。ステップＳ１０９では、変更画面の表示に情報表示部１０７を変更し、再びステップＳ１０４へ戻る。
【００２６】
以上により、情報表示部１０７の表示のＯＮ・ＯＦＦ、またはメニュー画面の切り替わりなどの、大きく表示画面が変化する際に、初期化を実行することで、初期化による消灯画面が短時間表示されたとしても、ユーザに違和感を与えることはない。ゆえに、正常状態では、特にユーザに違和感を与えず、かつ静電気などの外乱により表示乱れが発生した場合には、電源を再起動することなく、表示操作部１０９の操作により表示乱れを回復させることができる。
【００２７】
また、本実施例では、情報表示部１０７が撮像装置内に構成されるシステムについて説明したが、これに限られる訳ではない。例えば、撮像装置とは別体のレンズ装置や操作装置として表示駆動部１０６、情報表示部１０７を有する構成のシステムであっても良い。
【００２８】
また、本実施例では、メニューとして、機能設定画面とレンズ情報画面の２つの画面を有する例について説明したが、これに限られる訳ではなく、２つ以上の複数の画面を有していても良い。さらに、同じメニュー画面内でも、一部分のみでなく、例えば表示の１割以上が変化するような、大きな表示の切り替わりにおいては、初期化を実行するなどしても同様の効果は得られる。
【実施例２】
【００２９】
以下、図４〜図５を参照して、本発明の実施例２による撮影装置について説明する。
図４は実施例２の撮影装置の構成例を示す図である。図１で説明した内容と同様の構成要素は、同一符号で示し、説明を省略する。
【００３０】
撮影装置１１は、ズームレンズ１０１、レンズ駆動部１０２、撮像素子１０３、制御部１０４、映像表示部１１０を構成する。
【００３１】
映像表示部１１０は、撮像素子１０３で受光した信号を元に制御部１０４で生成した映像信号を入力し、撮影した映像を表示する。
【００３２】
操作装置２０は、撮影装置１１とは別体の装置で、撮影装置１１のズームレンズ１０１を操作するための操作装置である。操作装置２０は、操作装置制御部２０４、駆動操作部１０５、表示駆動部１０６、情報表示部１０７、表示電源部１０８、表示操作部１０９を構成する。本実施例では、ユーザへの情報表示を行う表示駆動部１０６、情報表示部１０７、表示電源部１０８、表示操作部１０９が、操作装置２０に構成される例について述べる。
【００３３】
操作装置制御部２０４は、制御部１０４と接続され、駆動操作部１０５の操作に応じた操作信号（指令）を制御部１０４に送信し、撮影装置１１のズームレンズ１０１を駆動する。また、操作装置制御部２０４は、撮影装置１１の情報を受信し、各種機能の設定やレンズ情報をユーザへ通知するためのメニュー画面などの表示画面を生成し、表示駆動部１０６を介して、情報表示部１０７に表示する。
本実施例における、情報表示部１０７に表示する表示画面は、図２で示した例と同一とする。
【００３４】
実施例２では、ユーザに違和感を与えないタイミングで、表示乱れを回復させるために、ズームレンズ１０１の駆動操作時に初期化を実施する例について説明する。
【００３５】
図５は実施例２における表示の初期化処理の流れを例示した図である。図５では、情報表示部１０７が点灯中に実行される処理を示している。
【００３６】
表示操作部１０９が操作され、情報表示部１０７を点灯すると、ステップＳ２０１から処理が始まる。ステップＳ２０１では、ユーザにより表示の変更操作が検出されたか否かを判断する。表示の変更操作が検出された場合は、ステップＳ２０２に進み、表示の変更操作が検出されなければ、ステップＳ２０３に進む。ステップＳ２０２では、ステップＳ２０１の操作に伴う変更画面の表示に情報表示部１０７を変更し、再びステップＳ２０１へ戻る。ステップＳ２０３では、ユーザによる駆動操作部１０５の操作が検出されたか否かを判断する。駆動操作部１０５の操作があった場合は、ステップＳ２０４に進み、操作がなかった場合は、ステップＳ２０１に戻る。ステップＳ２０４では、表示駆動部１０６の初期化を実行し、ステップＳ２０５に進む。ステップＳ２０５では、ステップＳ２０４の初期化を実行する前に表示していた画面を再度表示させ、ステップＳ２０１に戻る。
【００３７】
以上により、表示の変更操作がなく、かつ、ズームレンズ１０１を駆動するための操作があった場合に、表示駆動部１０６を初期化し、表示画面を再表示させる。つまり、ズームレンズ１０１の操作中（撮影条件や設定に関する操作中）は、ユーザは映像表示部１１０により撮影映像を確認しながら行われるため、情報表示部１０７の表示は見ていないと想定できる。よって、そのタイミングで情報表示部１０７の初期化を実行することにより、短時間の消灯が起こってもユーザに違和感を与えることなく、静電気などの外乱により表示乱れが起こっていた場合は、表示を回復させることができる。
【００３８】
また、本実施例では、情報表示部１０７が操作装置内に構成されるシステムについて説明したが、これに限られる訳ではなく、第一の実施例と同様、撮影装置などに構成されても良い。
【００３９】
また、本実施例では、ユーザがズームレンズを操作中に初期化を実行する例について説明したが、これに限られる訳ではなく、情報表示に関係しない操作をユーザが行った時に実施するとすれば、同様の効果が得られる。
【００４０】
また、本実施例では、可動光学部材として、ズームレンズが構成される例について説明したが、アイリスやフォーカスなどであっても当然良い。
【００４１】
また、本実施例では、情報表示の画面が点灯中の例について説明したが、消灯中に実施するなどしても当然良い。さらには、図２（Ａ）の機能設定画面の表示中は、本実施例の処理を実行し、図２（Ｂ）のレンズ情報画面の場合は実行しないなどしても良い。レンズ情報画面の場合は、ユーザは情報表示部１０７を見ながらズームを操作する可能性もあるため、その方が望ましい。
【実施例３】
【００４２】
以下、図６〜図７を参照して、本発明の実施例３による撮影装置について説明する。
図６は実施例３の撮影装置の構成例を示す図である。図１で説明した内容と同様の構成要素は、同一符号で示し、説明を省略する。
【００４３】
１２は表示手段である情報表示部１０７を備えた撮影装置１２である。撮影装置１２は、実施例１の撮影装置１０の構成に加えて電流検出部１１１を有する。
電流検出部１１１は、表示電源部１０８が表示駆動部１０６に供給している電源の消費電流を検出する。
【００４４】
本実施例では、静電気などの外乱により、意図しない表示乱れを起こしたか否を判断し、表示乱れを回復させる例について説明する。
【００４５】
図７は、実施例３における表示処理の流れを例示した図である。
ステップＳ３０１では、表示操作部１０９による変更操作があった場合や、レンズ情報画面でレンズ位置が変わった場合など、情報表示部１０７の表示を変更する必要があるか否かを判断する。変更の必要がある場合は、ステップＳ３０２に進み、変更の必要がない場合は、ステップＳ３０３に進む。
【００４６】
ステップＳ３０２では、変更画面の表示に情報表示部１０７を変更し、ステップＳ３０６へ進む。一方、ステップＳ３０３では、電流検出部１１１で検出している表示電源部１０８の消費電流に変化があるか否か（電力の変化が許容量を超えたか否か）を判断する。消費電流の変化は、予め定められた期間における検出電流値の平均値が変化したか否かを判断するとしても良いし、検出電流値の変動幅（ノイズ幅）が変化したか否かで判断するとしても良い。消費電流に変化がない場合は、ステップＳ３０１に戻り、変化がある場合は、ステップＳ３０４に進む。
【００４７】
ステップＳ３０４では、表示駆動部１０６の初期化を行う。次に、ステップＳ３０５では、ステップＳ３０４の初期化前に表示していた画面を再度表示し、ステップＳ３０６へ進む。ステップＳ３０６では、情報表示部１０７の表示の変更処理が完了したか否かを判断する。表示変更処理が完了したか否かは、電流検出部１１１の検出値が安定したか否かで判断するや、表示変更処理が完了するのに十分な時間が経過したか否かで判断するなどしても良い。ステップＳ３０６で、表示変更処理が完了するのを待って、ステップＳ３０１に戻る。
【００４８】
以上により、意図的に表示画面の変更処理を行っていない場合に、表示電源部１０８の消費電流（消費電力）の変化を検出すると、初期化を実行する。静電気などの外乱により表示乱れが発生すると、表示画面が変わってしまうことにより、表示電源部１０８の消費電流が変化する。ゆえに、意図しない表示電源部１０８の消費電流に変化があった場合は、表示乱れが発生したと判断し、初期化を実行することで表示乱れを回復させることができる。したがって、外乱を検出するのではなく、表示乱れ自体を検出することにより、不必要な初期化を実行することがないため、ユーザに違和感を与えることなく、表示乱れを回復することができる。
【００４９】
また、本実施例では、情報表示部１０７が撮像装置内に構成されるシステムについて説明したが、これに限られる訳ではない。例えば、撮像装置とは別体のレンズ装置や操作装置として表示駆動部１０６、情報表示部１０７を有する構成のシステムであっても良い。
【００５０】
また、本実施例では、表示電源部１０８の消費電流を検出する例について説明したが、これに限られる訳ではない。例えば、表示電源部１０８の電圧を検出し、電流同様に電圧が変化したか否かを判断するとしても同様の効果が得られる。
また、本発明を適用することにより、静電気の発生を検出し、静電気による不具合の発生の有無に関わらず、検出された静電気の程度に基づいて初期化する場合に発生する初期化時の画面消灯がユーザに違和感を与えてしまうことを回避しつつ、静電気や電波などの外乱による意図しない表示画面の乱れ（表示乱れ）を好適に回復することができる。
【００５１】
本発明は、撮影に関する装置に適用可能であって、撮影装置の撮影条件や設定に関する情報を表示する表示部を有する、レンズ装置、カメラ装置、レンズ装置とカメラ装置とを有する撮像装置、レンズ装置の操作装置、のいずれにも適用することができる。
【００５２】
以上、本発明の好ましい実施形態について説明したが、本発明はこれらの実施形態に限定されず、その要旨の範囲内で種々の変形および変更が可能である。
【符号の説明】
【００５３】
１０、１１、１２  撮影装置
１０４  ・・・・  制御部
１０７  ・・・・  情報表示部
１１１  ・・・・  電流検出部
【図１】
2020091414.tif 000003
【図２】
2020091414.tif 000004
【図３】
2020091414.tif 000005
【図４】
2020091414.tif 000006
【図５】
2020091414.tif 000007
【図６】
2020091414.tif 000008
【図７】
2020091414.tif 000009